(57)【特許請求の範囲】
【請求項１】
複数種類のパッケージのいずれかをそれぞれ実装可能な複数の実装スロットの実装状態監視装置において、
各パッケージに搭載され、自パッケージの種類を示すコード信号を出力するコード信号出力手段と、
各実装スロットに実装されたパッケージに設けられた前記コード信号出力手段から出力された前記コード信号を、対応の実装スロットと関連づけて受け取り、処理する処理手段と、を有し、
前記処理手段は、
実装スロットに実装が許されるパッケージの実装パターン情報と、前記実装パターン情報に対応するパターンナンバーと、からなる所定情報を予め備える所定情報保持手段と、
前記コード信号により第１の論理演算を実行して、現在実装されている実装パターンのパターンＩＤ信号を生成し、前記パターンナンバーに対応するコード信号の組み合わせが入力されたか否かを認識するための第２の論理演算を実行して、実装スロット全体で正常実装か誤実装かを示す保持信号を生成する誤実装検出手段と、
実装スロットに実装されているパッケージの実装情報を保持する実装情報保持手段と、
前記保持信号の値にもとづいて、前記実装情報保持手段に対し、正常実装ならば旧実装情報から新実装情報に更新し、誤実装ならば更新せずに旧実装情報を保持させる保持制御手段と、
前記パターンＩＤ信号と前記コード信号により第３の論理演算を実行して、誤った実装が行われた実装スロットを特定する誤実装スロット特定手段とを含む
ことを特徴とする実装状態監視装置。
【請求項２】
前記誤実装スロット特定手段によって特定された実装スロットに実装されているパッケージからの主信号の出力を禁止する出力禁止手段を更に有することを特徴とする請求項１記載の実装状態監視装置。
【発明の詳細な説明】
【０００１】
【産業上の利用分野】
本発明は、複数種類のパッケージのいずれかをそれぞれ実装可能な複数の実装スロットの実装状態監視装置に関する。
【０００２】
加入者回線と交換機との間に設けられる多重化装置は、複数の回線終端パッケージと多重装置とから構成される。すなわち、多重装置側に複数の実装スロットが設けられ、これらの実装スロットに複数種類の回線終端パッケージのいずれかが実装される。実装された回線終端パッケージから主信号が多重装置に送られて多重化され、交換機へ送出される。本発明は、こうしたパッケージの実装スロットへの実装状態を監視する実装状態監視装置に関するものである。
【０００３】
【従来の技術】
従来の実装状態監視装置は、図９に示すように、例えば４つの変換部１０１〜１０４と実装パターン作成部１０５とから成る。変換部１０１〜１０４は実装スロット毎に設けられ、実装スロットには複数種類の回線終端パッケージのいずれかが実装される。この例では実装スロットは４つ（♯１〜♯４）設けられる。パッケージには、その種類を表すパッケージＩＤが設けられ、そのパッケージが実装された実装スロットに対応する変換部がパッケージＩＤをコード信号に変換する。パッケージＩＤは、ピンの物理的な空間位置等で区別してパッケージの種類を表すものであり、変換部が、そのパッケージＩＤを電気信号に変換する。
【０００４】
図１０は変換部での変換例を示す。すなわち、パッケージの種類が３つあり、それらのパッケージＩＤがＡ，Ｂ，Ｃであったとする。パッケージＩＤがＡであるパッケージが実装スロットに実装されたときに、その実装スロットに対応する変換部は２進数のコード信号０１を出力し、同様に、パッケージＩＤがＢであるパッケージが実装スロットに実装されたときに、その実装スロットに対応する変換部は２進数のコード信号１０を出力し、パッケージＩＤがＣであるパッケージが実装スロットに実装されたときに、その実装スロットに対応する変換部は２進数のコード信号１１を出力する。パッケージが実装スロットに実装されていないときは、その実装スロットに対応する変換部は２進数のコード信号００を出力する。
【０００５】
図９に戻って、実装パターン作成部１０５は、変換部１０１〜１０４からパラレルに受けたコード信号を、図１１に示すように実装スロットの並び順に並び変えて表示装置に出力する。監視者は、表示装置に表示されたコード信号を見て、実装状態に異常がないかを監視したり、あるいは後段の多重装置に誤実装に起因した障害が発生した場合に、原因となっている実装スロットを探したりする。すなわち、実装スロット毎に、実装を許されるパッケージの種類が決められており、この決められたパッケージ以外のパッケージが実装された場合は、後段の多重装置が正常に作動できなくなるので、実装スロットの実装状態に異常がないかを監視し、誤実装があったときにはその実装スロットから誤実装パッケージを抜き取るようにしている。
【０００６】
【発明が解決しようとする課題】
しかし、従来の装置では、単に表示装置にコード信号が表示されるだけであり、したがって、実装スロットにパッケージの誤実装があっても、誤実装自体を、あるいは誤実装されている実装スロットを自動的に知ることはできなかった。また、誤実装されたパッケージからの主信号が多重装置に送られて、多重装置が作動してしまい、主信号に対し誤った処理がされ、交換機に送られてしまうという問題があった。
【０００７】
本発明はこのような点に鑑みてなされたものであり、監視能力の向上を図り、また誤実装時の適切な対応を可能とした実装状態監視装置を提供することを目的とする。
【０００８】
【課題を解決するための手段】
本発明では上記目的を達成するために、図１に示すように、複数の実装スロット３，４に複数種類のパッケージ１，２のいずれかがそれぞれ実装できる構成において、各パッケージ１，２に搭載され、自パッケージの種類を示すコード信号を出力するコード信号出力手段１ａ，２ａと、各実装スロット３，４に実装されたパッケージ１，２のコード信号出力手段１ａ，２ａから出力されたコード信号を、対応の実装スロットと関連づけて受け取り、処理する処理手段５とを有することを特徴とする実装状態監視装置が提供される。
【０００９】
また、処理手段５は、各実装スロット３，４に実装が許されるパッケージの種類に関する所定の情報を予め備える所定情報保持手段５ａと、実装スロットと関連づけて受け取ったコード信号を、所定の情報と比較して、誤った実装が行われていることを検出する誤実装検出手段５ｂとを含む。
【００１０】
また、処理手段５は、各実装スロット３，４に実装されているパッケージの種類に関する実装情報を常時更新保持する実装情報保持手段５ｃと、誤実装検出手段５ｂが誤実装を検出したときに、実装情報保持手段５ｃに更新を禁止し、誤実装前の実装情報を保持させる保持制御手段５ｄとを更に含む。
【００１１】
また、処理手段５は、誤実装検出時に、実装スロットと関連づけて受け取ったコード信号と、実装情報保持手段５ｃに保持された誤実装前の実装情報とを基に、誤った実装が行われた実装スロットを特定する誤実装スロット特定手段５ｅを更に含む。
【００１２】
さらに、実装状態監視装置は、誤実装スロット特定手段５ｅによって特定された実装スロットに実装されているパッケージからの主信号の出力を禁止する出力禁止手段６，７を更に有する。
【００１３】
【作用】
以上のような構成において、パッケージを実装スロットに実装することにより対応のコード信号出力手段からコード信号が処理手段５へ出力される。処理手段５では、コード信号出力手段から出力されたコード信号を、対応の実装スロットと関連づけて受け取り、処理する。これにより、従来のパッケージＩＤをコード信号に変換する変換部が不要となり、回路構成の簡単化が図れる。
【００１４】
また、処理手段５に設けられた誤実装検出手段５ｂは、実装スロットと関連づけて受け取ったコード信号を、所定情報保持手段５ａに予め格納された所定の情報と比較することにより、誤った実装が行われていることを検出する。すなわち、自動的に誤実装が検出されるので、監視能力の向上が図れる。
【００１５】
また、処理手段５に設けられた実装情報保持手段５ｃが、各実装スロット３，４に実装されているパッケージの種類に関する実装情報を常時更新保持するとともに、誤実装検出手段５ｂが誤実装を検出したときに、保持制御手段５ｄによって、実装情報保持手段５ｃは実装情報の更新を禁止される。したがって、実装情報保持手段５ｃは誤実装前の実装情報を保持することになる。これにより、誤実装前の実装情報の保護が行える。
【００１６】
また、処理手段５の誤実装スロット特定手段５ｅは、誤実装検出時に、実装スロットと関連づけて受け取ったコード信号と、実装情報保持手段５ｃに保持された誤実装前の実装情報とを基に、誤った実装が行われた実装スロットを特定する。これにより、正常な実装状態に迅速に復旧することが可能となる。
【００１７】
さらに、誤実装スロット特定手段５ｅによって特定された実装スロットに対応する出力禁止手段が、当該実装スロット実装されているパッケージからの主信号の出力を禁止する。これにより、後段の多重装置において主信号に対し誤った処理がされ、交換機に送られてしまう危険性を回避できる。
【００１８】
【実施例】
以下、本発明の実施例を図面に基づいて説明する。
図２は、本発明に係るパッケージを実装スロットへ実装する様子を示す図である。図において、例えばパッケージの種類がＡ，Ｂ，Ｃの３つあり、実装スロットが４つ（♯１〜♯４）あるとする。種類がＡのパッケージは加入者回線からの主信号１回線を終端し、種類がＢのパッケージは加入者回線からの主信号２回線を終端して多重化し、種類がＣのパッケージは加入者回線からの主信号４回線を終端して多重化するパッケージである。また、各パッケージから実装スロット側には、パッケージの種類を表す２ビットのコード信号が直接出力される。図中、ｂ１が上位ビット、ｂ０が下位ビットである。すなわち、図３に示すように、種類Ａのパッケージからは、コード信号０１が実装スロット側に出力され、同様に、種類Ｂのパッケージからはコード信号１０が、種類Ｃのパッケージからはコード信号１１が出力される。また、実装スロットにパッケージが未実装である場合、コード信号を００とする。
【００１９】
図４は、実装スロット♯１〜♯４への実装が許されるパッケージの種類を示す図である。すなわち、実装形態には４つのパターンがあり、第１のパターンでは、実装スロット♯１〜♯４のそれぞれに、種類Ａのパッケージが実装されるか、または未実装かである。したがって、後段の多重装置へは実装スロット♯１〜♯４から情報伝送が行われ、多重装置で最大４多重が行われる。第２のパターンでは、実装スロット♯１に種類Ｂのパッケージが実装され、実装スロット♯２に未実装であり、実装スロット♯３，♯４のそれぞれに、種類Ａのパッケージが実装されるか、または未実装かである。したがって、後段の多重装置へは実装スロット♯１，♯３，♯４から情報伝送が行われ、多重装置で最大４多重が行われる。第３のパターンでは、実装スロット♯１に種類Ｂのパッケージが実装されるか、または未実装かであり、実装スロット♯２に未実装であり、実装スロット♯３に種類Ｂのパッケージが実装され、実装スロット♯４に未実装である。したがって、後段の多重装置へは実装スロット♯１，♯３から情報伝送が行われ、多重装置で最大４多重が行われる。第４のパターンでは、実装スロット♯１に種類Ｃのパッケージが実装され、実装スロット♯２〜♯４のそれぞれに未実装であり、したがって、後段の多重装置へは実装スロット♯１から情報伝送が行われる。本実施例では、以上の４つのパターンだけが許される形態であるとする。
【００２０】
つぎに、実装スロットを備えた多重回路側の全体構成を説明する。
図５は、実装スロットを備えた多重回路側の全体構成を示すブロック図である。図中、インタフェース盤（♯１〜♯４）１１〜１４は、実装スロット♯１〜♯４に実装されたパッケージを表し、多重回路１５へ主信号をそれぞれ送るとともに、実装状態監視回路１６へ２ビットのコード信号をそれぞれ送る。多重回路１５は主信号の多重化を行って交換機（図示せず）へ出力する。多重回路１５には、後述するように、４つのマスク部がインタフェース盤１１〜１４に対応して内蔵される。実装状態監視回路１６の内部構成については図６を用いて後に詳述する。
【００２１】
実装状態監視回路１６は、送られたコード信号を基に、各実装スロットへの実装形態を示すパターンＩＤ信号を作成して表示部１７へ出力する。また、実装状態監視回路１６は、送られたコード信号を基に、各実装スロットにおいて誤った実装が行われていないかを検出し、実装スロット毎に誤実装表示信号を表示部１７および多重回路１５の各マスク部へ出力する。表示部１７は、ランプ点灯表示またはパソコンの画像表示により、パターンＩＤ信号および誤実装表示信号を表示するものである。
【００２２】
図６は、実装状態監視回路１６の内部構成を示すブロック図である。実装状態監視回路１６は、パターン判断部１６ａ、誤実装検出部１６ｂ、およびセレクト部１６ｃから成り、インタフェース盤１１〜１４からの各コード信号が、パターン判断部１６ａおよび誤実装検出部１６ｂへ送られる。
【００２３】
パターン判断部１６ａは、送られた各コード信号を基に、図７に示す変換表に従って、各実装スロットへの実装形態を表すパターンＩＤ信号を作成する。すなわち、図７の左側にはパターンＩＤ信号をコード化したものを示し、図７の右側には各実装スロットに実装されるパッケージのコード信号を示す。図７の表の「実装パターンＮｏ．」は、図４に示した表の「パターンＮｏ．」に相当する。したがって、第１のパターンをパターンＩＤ信号００で表し、同様に、第２のパターンをパターンＩＤ信号０１で、第３のパターンをパターンＩＤ信号１０で、第４のパターンをパターンＩＤ信号１１で表す。この図７に示す変換表に従えば、例えば、実装パターンＮｏ．２に示すように、インタフェース盤１１（実装スロット♯１）からコード信号１０（種類Ｂのパッケージの実装）が入力され、インタフェース盤１２（実装スロット♯２）からコード信号００（未実装）が入力され、インタフェース盤１３（実装スロット♯３）からコード信号０×（種類Ａのパッケージの実装または未実装）が入力され、インタフェース盤１４（実装スロット♯４）からコード信号０×（種類Ａのパッケージの実装または未実装）が入力されている場合には、パターン判断部１６ａは、実装形態が第２のパターンであると判断して、パターンＩＤ信号０１を出力する。なお、「コード信号０×」はコード信号００またはコード信号０１のいずれかを意味する。
【００２４】
また、パターン判断部１６ａは、送られた各コード信号を基に保持信号を出力する。すなわち、パターン判断部１６ａは、第１〜第４のパターンにおけるコード信号の組合せ以外のコード信号の組合せが入力された場合に（即ち、誤実装の発生時に）保持信号「０」を出力する。第１〜第４のパターンにおけるコード信号の組合せが入力されている場合には保持信号「１」を出力する。
【００２５】
こうした変換表による変換をパターン判断部１６ａは実際には、次のような演算処理により行う。
すなわち、パターンＩＤ信号の上位ビットｂｉｔ１の値０または１を下記式（１）により算出する。
【００２６】
【数１】
0003577140.tif 000002
ここで、例えば「♯１ｂｉｔ１」は、インタフェース盤１１（実装スロット♯１）から送られたパッケージの種類を表すコード信号の上位ビット（ｂｉｔ１）の値を示し、「♯１ｂｉｔ０」は、インタフェース盤１１（実装スロット♯１）から送られたパッケージの種類を表すコード信号の下位ビット（ｂｉｔ０）の値を示す。また、「〔♯１ｂｉｔ０〕」は「♯１ｂｉｔ０」の反転値を表すものとする。
【００２７】
また、パターンＩＤ信号の下位ビットｂｉｔ０の値０または１を下記式（２）により算出する。
【００２８】
【数２】
0003577140.tif 000003
さらに、保持信号の値０または１を下記式（３）により算出する。
【００２９】
【数３】
0003577140.tif 000004
以上のようにして算出されたパターンＩＤ信号の上位ビットｂｉｔ１、下位ビットｂｉｔ０、および保持信号の各値は、セレクト部１６ｃへ送られる。セレクト部１６ｃは実装情報保持メモリと選択部とを備える。実装情報保持メモリは、自己に入力されるパターンＩＤ信号の各値を常時更新保持する。選択部は、送られた保持信号に従い、実装情報保持メモリに保持されたパターンＩＤ信号または送られたパターンＩＤ信号のいずれかを選択する。すなわち、保持信号の値が「１」（正常な実装状態）のときに、選択部は、パターン判断部１６ａから送られたパターンＩＤ信号を選択して出力する。この出力されたパターンＩＤ信号は、表示部１７（図５）へ出力されるとともに、セレクト部１６ｃの実装情報保持メモリへ送られる。実装情報保持メモリは、入力されたパターンＩＤ信号を記憶保持する。一方、保持信号の値が「０」（誤った実装が行われている状態）のときには、選択部は、パターン判断部１６ａから送られたパターンＩＤ信号を選択することをせず、実装情報保持メモリに保持されたパターンＩＤ信号を読み出して出力する。したがって、実装状態監視回路１６から出力されるパターンＩＤ信号は、正常な実装状態であれば、現在の実装状態を表すパターンＩＤ信号の上位ビットｂｉｔ１および下位ビットｂｉｔ０の各値となり、一方、誤った実装が行われると、誤実装直前の正しい実装状態のときのパターンＩＤ信号の上位ビットｂｉｔ１および下位ビットｂｉｔ０の各値となる。
【００３０】
このように、誤実装直前の正しい実装状態が保持されるので、正しい実装状態に関する情報の保護ができ、誤実装状態から正しい実装状態への迅速な復旧が可能となる。また、この保持により、つぎに説明するように、誤実装が発生している実装スロットの特定が可能となる。
【００３１】
誤実装検出部１６ｂには、インタフェース盤１１〜１４から各コード信号が送られるとともに、パターン判断部１６ａからパターンＩＤ信号が送られる。こうして送れた信号を基に、誤実装検出部１６ｂは、誤実装が行われている実装スロットの特定を行う。
【００３２】
図８は、現在の正しい実装の各パターンに対して新たなパッケージの実装を行なった結果、パッケージの誤実装となるコード信号を示す図である。
こうした図８に基づき、誤実装検出部１６ｂは、誤実装が行われている実装スロットの特定を次式（４）〜（７）のような演算処理により、実装スロット毎に行う。演算の結果、実装スロット毎の誤実装表示信号が「１」になると、その実装スロットに誤実装が行われていることを示し、演算結果が「０」になると、その実装スロットに誤実装が無いことを示している。
【００３３】
【数４】
0003577140.tif 000005
【００３４】
【数５】
0003577140.tif 000006
【００３５】
【数６】
0003577140.tif 000007
【００３６】
【数７】
0003577140.tif 000008
ここで、「Ｐｂ１」は、パターンＩＤ信号の上位ビットｂ１の値を表し、「Ｐｂ０」は、パターンＩＤ信号の下位ビットｂ０の値を表し、「＊」は排他的論理和（Ｅｘｃｌｕｓｉｖｅ−ＯＲ）を表す。
【００３７】
以上のようにして、実装スロット毎に誤実装表示信号が発生され、これが表示装置１７に表示されることにより、いずれの実装スロットに誤実装が発生しているかが明示される。したがって、誤実装の実装スロットからパッケージを抜き取り、表示装置１７に表示されている誤実装前のパターンＩＤ信号に従ってパッケージの種類を選択して新たにパッケージを実装することにより、正しい実装状態に迅速に復旧させることができる。
【００３８】
実装スロット毎の誤実装表示信号は多重回路１５の各マスク部にも加えられる。各マスク部は、対応の誤実装表示信号の値が「０」であれば、対応のインタフェース盤から送られる主信号をそのまま、多重回路１５の多重化部へ送る。一方、対応の誤実装表示信号の値が「１」であれば、対応のインタフェース盤から送られる主信号を遮断し、多重回路１５の多重化部へ送らないようにする。
【００３９】
これにより、誤実装されたパッケージからの主信号は多重回路１５の多重化部へは送られず、多重回路１５へ悪影響が及ぶことが回避され得る。
上記実施例では、パッケージの種類を３つとし、実装スロットの数を４つとしたが、本発明はこれらの数に限定されるものではない。
【００４０】
また、上記実施例では、各実装スロットに実装が許されるパッケージの種類を図４に示す４つのパターンで説明したが、本発明はこれらのパターンに限定されるものではない。
【００４１】
【発明の効果】
以上説明したように本発明では、処理手段によって実行される第１の論理演算により現在実装されている実装パターンの形態をパターンＩＤ信号で表し、第２の論理演算により保持信号を生成しての実装情報の更新、第３の論理演算により誤実装スロットの特定を行うので、実装パターンの形態に柔軟に対応したパッケージ実装の監視効率の向上、誤実装前の実装情報の保護、誤実装スロットの特定に関して、簡単な回路構成で効率よく行うことができる。
すなわち、パッケージを実装スロットに実装することにより対応のコード信号出力手段からコード信号が処理手段へ出力される。処理手段では、コード信号出力手段から出力されたコード信号を、対応の実装スロットと関連づけて受け取り処理する。これにより、従来のパッケージＩＤをコード信号に変換する変換部が不要となり、回路構成の簡単化が図れる。
【００４２】
また、処理手段に設けられた誤実装検出手段は、実装スロットと関連づけて受け取ったコード信号を、所定情報保持手段に予め格納された所定の情報と比較することにより、誤った実装が行われていることを検出する。すなわち、自動的に誤実装が検出されるので、監視能力の向上が図れる。
【００４３】
また、処理手段に設けられた実装情報保持手段が、各実装スロットに実装されているパッケージの種類に関する実装情報を常時更新保持するとともに、誤実装検出手段が誤実装を検出したときに、保持制御手段によって、実装情報保持手段は実装情報の更新を禁止される。したがって、実装情報保持手段は誤実装前の実装情報を保持することになる。これにより、誤実装前の実装情報の保護が行える。
【００４４】
また、処理手段の誤実装スロット特定手段は、誤実装検出時に、実装スロットと関連づけて受け取ったコード信号と、実装情報保持手段に保持された誤実装前の実装情報とを基に、誤った実装が行われた実装スロットを特定する。これにより、正常な実装状態に迅速に復旧することが可能となる。
【００４５】
さらに、誤実装スロット特定手段によって特定された実装スロットに対応する出力禁止手段が、当該実装スロット実装されているパッケージからの主信号の出力を禁止する。これにより、後段の多重装置において主信号に対し誤った処理がされ、交換機に送られてしまう危険性を回避できる。
【図面の簡単な説明】
【図１】本発明の原理説明図である。
【図２】本発明に係るパッケージを実装スロットへ実装する状態を示す図である。
【図３】パッケージから実装スロット側に出力されるコード信号を示す図である。
【図４】実装スロットへの実装が許されるパッケージの種類を示す図である。
【図５】実装スロットを備えた多重回路側の全体構成を示すブロック図である。
【図６】実装状態監視回路の内部構成を示すブロック図である。
【図７】コード信号を基に、各実装スロットへの実装形態を表すパターンＩＤ信号に変換する変換表を示す図である。
【図８】現在の正しい実装の各パターンに対して新たなパッケージの実装を行った結果、パッケージの誤実装となるコード信号を示す図である。
【図９】従来の実装状態監視装置の構成を示すブロック図である。
【図１０】変換部でのコードへの変換を示す図である。
【図１１】実装パターンを示す図である。
【符号の説明】
１  パッケージ
１ａ  コード信号出力手段
２  パッケージ
２ａ  コード信号出力手段
３  実装スロット
４  実装スロット
５  処理手段
５ａ  所定情報保持手段
５ｂ  誤実装検出手段
５ｃ  実装情報保持手段
５ｄ  保持制御手段
５ｅ  誤実装スロット特定手段
６  出力禁止手段
７  出力禁止手段
【図１】
0003577140.tif 000009
【図２】
0003577140.tif 000010
【図３】
0003577140.tif 000011
【図４】
0003577140.tif 000012
【図５】
0003577140.tif 000013
【図６】
0003577140.tif 000014
【図７】
0003577140.tif 000015
【図８】
0003577140.tif 000016
【図９】
0003577140.tif 000017
【図１０】
0003577140.tif 000018
【図１１】
0003577140.tif 000019